(57)【要約】【課題】手で保持することが困難な部品を、器具を用いて被取付部材に取り付けることを容易とする電子機器部品セット等を提供する。【解決手段】電子機器部品セットは、部品（１、３）と被取付部材（２、４）とを含み、部品（１、３）は第１突起部（１１）を備え、被取付部材（２、４）には第１凹部（２１）が形成され、部品（１、３）が被取付部材（２、４）に取り付けられた状態において、挿入方向（Ａ）に略平行な第１突起部（１１）の挿入面（１１ａ）に対向する第１凹部（２１）の面は、挿入方向（Ａ）の奥側に対して開口側が拡がっている切欠き面（２１ａ）を有する。【選択図】図１
2017063154.tif 000002
【特許請求の範囲】
【請求項１】
電子機器に内蔵される部品と、当該部品が取り付けられる被取付部材とを含む電子機器部品セットであって、
上記部品は、上記被取付部材に挿入される第１突起部を備え、
上記被取付部材には、上記第１突起部が挿入されるための第１凹部が形成され、
上記第１突起部を上記第１凹部に挿入する際の方向を挿入方向とし、当該挿入方向に略平行な上記第１突起部の面を挿入面とする場合、
上記部品が上記被取付部材に取り付けられた状態において、上記第１突起部の上記挿入面に対向する上記第１凹部の面は、上記挿入方向の奥側に対して開口側が拡がっている切欠き面を有することを特徴とする電子機器部品セット。
【請求項２】
上記部品は、上記第１突起部の先端に第２突起部を備え、
上記被取付部材には、上記第２突起部と嵌合することにより、上記被取付部材に対する上記部品の位置を定める第２凹部が形成されていることを特徴とする請求項１に記載の電子機器部品セット。
【請求項３】
上記第１突起部が有する、互いに対向する上記挿入方向に略平行な上記面の少なくとも一方を含む仮想面が、上記第２突起部と交差するように、当該第２突起部の大きさが規定されていることを特徴とする請求項２に記載の電子機器部品セット。
【請求項４】
上記部品は、当該部品の本体となる部品本体を備え、
上記被取付部材は、上記部品本体の一部と接することにより上記第１突起部を上記第１凹部へ誘導する誘導部を備えていることを特徴とする請求項１から３のいずれか１項に記載の電子機器部品セット。
【請求項５】
上記被取付部材は、上記第１凹部と対向する係合部を備え、
上記部品は、上記係合部と掛り合うことにより、上記第１突起部が上記第１凹部に挿入される挿入方向と反対方向に上記部品が変位することを止める係止部を備えていることを特徴とする請求項１から４のいずれか１項に記載の電子機器部品セット。
【請求項６】
電子機器に内蔵される部品を、当該電子機器の一部である被取付部材に取り付ける取付方法であって、
上記部品を上記被取付部材に取り付けるために用いられる器具によって上記部品に備えられた第１突起部を挟持する第１ステップと、
上記第１ステップの後、上記被取付部材に形成された第１凹部に上記第１突起部を挿入する第２ステップと、
上記第２ステップの後、上記器具によって挟持された上記第１突起部の面である挟持面を、上記第２ステップにおける挿入方向の奥側に対して開口側が拡がっている切欠き面を有する上記第１凹部の面に対向させて、上記部品を上記被取付部材に取り付ける第３ステップと、を含むことを特徴とする取付方法。
【発明の詳細な説明】
【技術分野】
【０００１】
本発明は、電子機器に内蔵される部品と当該部品が取り付けられる被取付部材とを含む電子機器部品セット、および当該部品を被取付部材に取り付ける取付方法に関する。
【背景技術】
【０００２】
従来、電子機器への部品の組込みは手作業によって行われることが多く、当該部品を電子機器の所定の位置に組込むための構造が知られている。例えば、特許文献１には、表筐体と、基板と、裏筐体とが嵌め合わされて一体化される携帯電話機について、携帯電話に取り付けられるバイブレータに含まれる装入部が、基板に取り付けられたコネクタに装入される構造が開示されている。
【先行技術文献】
【特許文献】
【０００３】
【特許文献１】特開２００２−１５８２７号公報（２００２年１月２８日公開）
【発明の概要】
【発明が解決しようとする課題】
【０００４】
しかしながら、特許文献１の技術では、電子機器への部品の組込みを手作業で行うことが困難な場合がある。特に、スマートフォンをはじめとする電子機器では、小型化のニーズが高く、電子機器の内部部品についてもより一層の小型化が必要とされている。例えば、電子機器へ組込まれる部品のサイズは５ｍｍ角程度になることもあり、このような部品は人の手で掴むことは困難な場合がある。このため、部品の小型化が進むほど、電子機器の部品の組込み作業は、困難になるという問題がある。
【０００５】
本発明は、上記の問題点に鑑みてなされたものであって、その目的は、手で保持することが困難な部品を、器具を用いて被取付部材に取り付けることを容易とする電子機器部品セット等を提供することにある。
【課題を解決するための手段】
【０００６】
上記の課題を解決するために、本発明の一態様に係る電子機器部品セットは、電子機器に内蔵される部品と、当該部品が取り付けられる被取付部材とを含む電子機器部品セットであって、上記部品は、上記被取付部材に挿入される第１突起部を備え、上記被取付部材には、上記第１突起部が挿入されるための第１凹部が形成され、上記第１突起部を上記第１凹部に挿入する際の方向を挿入方向とし、当該挿入方向に略平行な上記第１突起部の面を挿入面とする場合、上記部品が上記被取付部材に取り付けられた状態において、上記第１突起部の上記挿入面に対向する上記第１凹部の面は、上記挿入方向の奥側に対して開口側が拡がっている切欠き面を有している。
【発明の効果】
【０００７】
本発明の一態様によれば、手で保持することが困難な部品を、器具を用いて被取付部材に取り付けることが容易となる。
【図面の簡単な説明】
【０００８】
【図１】本発明の一実施形態に係る部品が被取付部材に取り付けられた状態を示す斜視図である。
【図２】本発明の一実施形態に係る電子機器の分解図である。
【図３】（ａ）〜（ｃ）は、図１に示す部品の要部構造を示す斜視図である。
【図４】（ａ）〜（ｂ）は、図１に示す被取付部材の要部構造を示す斜視図である。
【図５】（ａ）は、部品を被取付部材に取り付ける際に被取付部材に対する部品の位置が仮決めされることを示す斜視図であり、（ｂ）は、図５の（ａ）に示す組立部品を鉛直方向において上から見た図である。
【図６】（ａ）〜（ｂ）は、挿入方向に沿って切断した組立部品の斜視図である。
【図７】（ａ）〜（ｂ）は、図５の（ｂ）に示す組立部品の透視図である。
【図８】（ａ）は本発明の一実施形態に係る部品の変形例を示す斜視図であり、（ｂ）は、当該部品が被取付部材に取り付けられた状態を示す斜視図である。
【図９】（ａ）〜（ｂ）は、被取付部材に形成された第１凹部の変形例を示す断面図である。
【発明を実施するための形態】
【０００９】
以下、本発明の実施形態について、詳細に説明する。なお、以下の特定の項目における構成について、それが他の項目で説明されている構成と同じ場合、その説明を省略する場合がある。また、説明の便宜上、各項目に示した部材と同一の機能を有する部材については、同一の符号を付し、適宜その説明を省略する。
【００１０】
（概要）
図２は、本発明の一実施形態に係る電子機器１００の分解図である。図２では、電子機器１００をスマートフォンとして示しているが、これに限定しない。例えば、電子機器１００は、携帯電話機、ノート型ＰＣ、または電子書籍リーダー等の携帯型電子機器であってもよいし、防犯カメラ等の据え付け型電子機器であってもよいし、デスクトップ型のＰＣまたはハードディスクレコーダ等であってもよい。図２に示すように電子機器１００は、タッチパネルを含む液晶パネルを有する表筐体１１０、表筐体１１０と対向する裏筐体１２０、および、表筐体１１０と裏筐体１２０との間に挟まれる組立部品１３０を含む。組立部品１３０は、電子機器１００に内蔵される部品１が、組立部品１３０の本体である被取付部材２に取り付けられたものである。
【００１１】
部品１は、手作業によって被取付部材２に組み付けられるには小さい大きさ（例えば５ｍｍ四方）を有するため、小さいものを挟持するための一般的な器具（例えばピンセット）を用いて挟むことが可能な構造を有する必要がある。
【００１２】
図１は、部品１（電子機器部品セット）が被取付部材２（電子機器部品セット）に取り付けられた状態を示す斜視図である。部品１は第１突起部１１および第２突起部１２を備えている。部品１が被取付部材２に取り付けられる際、第１突起部１１がピンセット等の器具（不図示）により挟持され、図に示す矢印の方向（以下、挿入方向Ａ）に部品１が被取付部材２に挿入される（第１突起部１１が被取付部材２に形成されている第１凹部２１に挿入される）。そして、図１に示す状態において、第２突起部１２は被取付部材２に形成されている第２凹部２２に嵌合することにより、被取付部材２に対する部品１の位置が定まって、部品１が被取付部材２に取り付けられる。なお、電子機器部品セットは、電子機器１００を構成する部品であり、部品１および被取付部材２を含むものである。
【００１３】
（部品１の構成）
図３の（ａ）〜（ｃ）は、部品１の要部構造を示す斜視図である。部品１は、部品１の本体であるホルダ（部品本体）１０に、電子機器１００に内蔵される内蔵部品を組付けたものである。図３に示す部品１は、近接センサ１３が実装された近接センサ基板１４をホルダ１０に組付けたものであるが、これに限定されない。例えば、部品１は、小型カメラ、着信などを知らせるためのＬＥＤ（light emitting diode）またはマイクロフォンをホルダ１０に組み付けたものであってもよいし、電子機器１００に内蔵される内蔵部品（近接センサ１３等）が組み付けられるホルダ１０の単独部品であってもよい。なお、ホルダ１０は、樹脂から成る絶縁体であることが好ましい。
【００１４】
図３の（ａ）は、部品１を被取付部材２に取り付ける際に、部品１を被取付部材２に挿入する挿入方向Ａから見た斜視図である。部品１は、ホルダ１０、第１突起部１１、第２突起部１２、近接センサ１３が実装された近接センサ基板１４、および電気的接続部１５を備えている。ホルダ１０は、部品１の本体部であり、電子機器１００に内蔵される内蔵部品を組付けるのに適した形状を有している。例えば、図３の（ａ）に示すホルダ１０は、板形状を有している。
【００１５】
第１突起部１１は、部品１を被取付部材２に取り付けるために用いられるピンセット等の一般的な器具によって挟持されるものであり、被取付部材２に形成された第１凹部２１（図１参照）に挿入される。例えば、第１突起部１１は、部品１が被取付部材２に挿入される際に鉛直方向上側となるホルダ１０の面（以下、ホルダ１０の上面）に配置され、ホルダ１０の上面から延伸している。なお、本実施形態における鉛直方向とは、第１突起部１１が延伸する方向と反対の方向であり、例えば、ピンセット等の一般的な器具によって挟持された部品１が被取付部材２に挿入される場合における重力の方向である。また、第１突起部１１は、ホルダ１０に組み付けられる内蔵部品の構成に応じて、ホルダ１０の上面と隣接するホルダ１０の側面、またはホルダ１０の上面と対向するホルダ１０の下面に配置されていてもよい。
【００１６】
なお、以下では、部品１が被取付部材２に取り付けられた状態において、第１突起部１１が第１凹部２１に挿入された挿入方向Ａに略平行な第１突起部１１の挿入面を、ピンセット等の器具により挟持される第１突起部１１の挟持面１１ａ（図３の（ａ）および（ｂ）の灰色部分）として説明する。また、第１突起部１１の挟持面１１ａを第１突起部１１の側面として、第２突起部１２が備えられた第１突起部１１の面を第１突起部１１の上面１１ｕとし、第１突起部１１に備えられた第２突起部１２の面を第２突起部１２の下面１２ｄと称する。
【００１７】
第２突起部１２は、被取付部材２に形成された第２凹部２２（図１参照）に嵌合することにより、被取付部材２に対する部品１の位置を定めるものであり、第１突起部１１の先端に配置されている。例えば、第２突起部１２は、第１突起部１１を挟んでホルダ１０と対向するように第１突起部１１の上面１１ｕに配置され、第１突起部１１の２つの挟持面１１ａが対向する方向における第２突起部１２の両端は、第１突起部１１の上面１１ｕから当該方向に延伸している。第１突起部１１がホルダ１０から延伸する方向Ｃと第２突起部１２の両端が延伸する方向Ｄとは垂直に交差している。
【００１８】
また、第１突起部１１が有する、互いに対向する挟持面１１ａの少なくとも一方を含む仮想面が、第２突起部１２と交差するように、第２突起部１２の大きさが規定されている。すなわち、第２突起部１２の下面１２ｄは、第１突起部１１の上面１１ｕと比較して、第１突起部１１の幅Ｗの方向について広い幅を有する。
【００１９】
なお、挟持面１１ａが図３の（ａ）および（ｂ）に示すように平面の場合、上記仮想面は平面であり、挟持面１１ａが曲面（不図示）の場合、上記仮想面は曲面である。また、挟持面１１ａに凹凸がある場合、上記仮想面は、挟持面１１ａを概ね含む面（挟持面１１ａに近似する面）であればよい。また、図３の（ａ）に示すように、第２突起部１２の延伸方向に対して平行な平面で第１突起部１１および第２突起部１２を切断したときの切断面は、Ｔ字形状であるが、これに限定されない。例えば、当該切断面は、Ｌ字形状であってもよい。
【００２０】
このため、第１突起部１１が、第２突起部１２に対して鉛直方向下側となるようにピンセット等の一般的な器具によって挟持される際に第１突起部１１を挟持する力が十分でない場合、当該器具により挟持される第１突起部１１の部位が重力によってずれたとしても、第２突起部１２が当該器具に引掛り、重力により部品１が落下することを防止できる。
【００２１】
近接センサ１３は、近接センサ基板１４に対する物体の近接を検知するものであり、近接センサ基板１４に実装されている。近接センサ基板１４は、近接センサ１３とホルダ１０とに挟まれるように、両面テープを用いて接着して固定されてもよいし、近接センサ基板１４、ホルダ１０および近接センサ１３に形成される係止用の爪により固定されていてもよい。
【００２２】
電気的接続部１５は、電子機器１００に内蔵される内蔵部品と被取付部材２とを電気的に接続するものである。電気的接続部１５は、例えばコの字形状を有しており、板形状のホルダ１０を嵌合するとともに、ホルダ１０を挟んで近接センサ基板１４と対向して配置されている。図３の（ｂ）は、図３の（ａ）の斜視の方向と反対の方向からの斜視図である。図３の（ｂ）に示すように、電気的接続部１５には、被取付部材２との接続部位に接点ばね１５ａが形成されている。
【００２３】
なお、図３の（ａ）に示す第１突起部１１は、ホルダ１０と一体となった形状として形成されているが、これに限定されない。例えば、第１突起部１１は、部品１に接着して備えられてもよいし、第１突起部１１または部品１に形成された爪により第１突起部１１が部品１に固定して備えられてもよい。
【００２４】
図３の（ａ）および（ｂ）に示すように、ホルダ１０の側面１０ａは、部品１が被取付部材２に挿入される際に被取付部材２と接する部位である。例えば、側面１０ａは、互いに対向する一対の側面であり、一対の側面１０ａが互いに対向する方向と一対の挟持面１１ａが互いに対向する方向とが同一である。一対の側面１０ａの対向距離は第１突起部１１の幅Ｗよりも広いため、当該側面１０ａは、第１突起部１１が第１凹部２１に挿入される前に被取付部材２と接し、被取付部材２に対する部品１の位置を大まかに定めることが可能となる。なお、側面１０ａは、互いに対向する側面のうちいずれか一方の面であってもよいし、第１突起部１１が備えられている面（ホルダ１０の上面）と対向する面（下面）であってもよい。
【００２５】
図３の（ｃ）は、図３の（ａ）に示す部品１を近接センサ１３が備えられている側（紙面における下側）からみたときの斜視図である。ホルダ１０には、被取付部材２と掛り合うことにより、挿入方向Ａと反対方向に部品１が変位することを止める係止部１６が備えられている。図３の（ｃ）に示す係止部１６は、断面がＬ字形状であり、接点ばね１５ａが備えられているホルダ１０の面と対向するホルダ１０の面から延伸し、係止部１６の先端がホルダ１０から突出している。係止部１６は、係止部１６の先端が変位する程度の弾力性を有している。具体的には、係止部１６は、断面がＬ字形状の屈曲部位における幅Ｗ１は先端の幅Ｗ２よりも狭く、断面がＬ字形状の屈曲部位における厚みＴ１は先端の厚みＴ２よりも薄い構成となっている。
【００２６】
（被取付部材２の構成）
図４の（ａ）〜（ｂ）は、被取付部材２の要部構造を示す斜視図である。なお、被取付部材２は、電子機器１００の組立部品１３０の一部である。図４に示すように、被取付部材２には、第１凹部２１、第２凹部２２、誘導部２３および係合部２４が形成されている。
【００２７】
第１凹部２１は、被取付部材２の内部に形成された窪みであり、部品１が被取付部材２に取り付けられた状態において第１突起部１１が挿入される部位である。また、部品１が被取付部材２に取り付けられた状態において、ピンセット等の器具によって挟持される第１突起部１１の挟持面１１ａ（図３の（ａ）〜（ｂ）参照）と対向する上記第１凹部の面は、挟持面１１ａに対して傾斜する切欠き面（挿入方向Ａの奥側に対して開口側が拡がっている切欠き面）２１ａとして形成されている。例えば、一対の切欠き２１面ａが互いに対向する距離は、第１凹部２１の底面側よりも第１凹部２１の開口部側の方が広い。このため、第１突起部１１が第１凹部２１に挿入される際に、第１突起部１１を挟持する器具は、第１突起部１１とともに第１凹部２１に挿入されることが可能となる。
【００２８】
第２凹部２２は、被取付部材２の内部に形成された窪みであり、部品１が被取付部材２に取り付けられた状態において第２突起部１２と嵌合することにより被取付部材２に対する部品１の位置を定める部位である。また、第２凹部２２は、第１凹部２１と連通している。
【００２９】
誘導部２３（図４の（ａ）および（ｂ）に示す灰色部分）は、ホルダ１０の側面１０ａ（図３参照）と接することにより、第１突起部１１を第１凹部２１へ誘導するものである。誘導部２３は、第１凹部２１および第２凹部２２が形成されている被取付部材の面から突出して備えられ、一対の誘導部２３が互いに対向する距離はホルダ１０を挿入可能な程度の幅を有している。このため、第１突起部１１が第１凹部２１に挿入される前に、ホルダ１０の側面１０ａが誘導部２３に接することが可能となる。なお、部品１を被取付部材２に取り付ける際、ホルダ１０の側面１０ａと被取付部材２の誘導部２３とは常に接している状態である必要は無い。
【００３０】
係合部２４は、係止部１６（図３の（ｂ）および（ｃ）参照）と掛り合うことにより、挿入方向Ａと反対方向に上記部品が変位することを止めるものである。図４の（ａ）に示す係合部２４は、誘導部２３の面から突出して配置され、第１凹部２１および第２凹部２２が形成されている面と対向している。
【００３１】
（部品１の取り付け）
図５の（ａ）は、部品１を被取付部材２に取り付ける際に、被取付部材２に対する部品１の位置が仮決めされることを示す斜視図であり、図５の（ｂ）は、図５の（ａ）に示す図を鉛直方向において上から見た（紙面において上から見た）図である。図５の（ａ）に示すように、ホルダ１０の一対の側面１０ａのそれぞれは、第１突起部１１が第１凹部２１に挿入される前に、挿入方向Ａと垂直な左右方向Ｂにおける動きが一対の誘導部２３によって規制される。これにより、被取付部材２に対する部品１の位置は、第１突起部１１が第１凹部２１に挿入され易いように左右方向Ｂについて大まかに定められる。
【００３２】
次に、図５の（ｂ）に示すように、部品１は、左右方向Ｂにおけるホルダ１０の動きが被取付部材２の誘導部２３によって規制された状態で、挿入方向Ａに押し込まれていく。このため、部品１を被取付部材２に取り付ける際、左右方向Ｂについて第１突起部１１を第１凹部２１に誘導することが可能となる。それゆえ、被取付部材２に対する部品１の位置を、第１凹部２１を狙い易い位置に仮に決めることが可能となる。
【００３３】
図６の（ａ）〜（ｂ）は、挿入方向に沿って切断した組立部品１３０の斜視図である。図６の（ａ）は、部品１の係止部１６が被取付部材２の係合部２４と掛り合う前の状態を示す図である。部品１が被取付部材２に取り付けられるには、部品１の係止部１６が、被取付部材２の係合部２４を乗り超えて、部品１の第１突起部１１が被取付部材２の第１凹部２１に挿入される必要がある。係止部１６は、図３の（ｃ）にて説明したように弾力性を有するため、係止部１６が係合部２４に当接した状態で部品１が被取付部材２に挿入方向Ａに押し込まれると、断面Ｌ字形状の係止部１６の先端が変形し、被取付部材２の係合部２４を乗り超えることが可能となる。そして、部品１は、係止部１６と係合部２４とが掛り合うことにより、被取付部材２に対して固定して取り付けられる。
【００３４】
図６の（ｂ）は、部品１の係止部１６と被取付部材２の係合部２４とが掛り合っている状態を示す図である。係合部２４を乗り越えた係止部１６は、係合部２４と掛り合うことにより、部品１が、挿入方向Ａと反対方向へ変位することを止めている。より具体的には、図５の（ｂ）に示すように接点ばね１５ａが被取付部材２に接していない状態から、部品１が挿入方向Ａに押し込まれると、接点ばね１５ａは、被取付部材２とホルダ１０とによって挟まれて収縮する（不図示）。一方、図６の（ｂ）に示すように部品１が被取付部材２に取り付けられた状態において、係合部２４は、係止部１６よりも被取付部材２の外側（第１凹部２１から遠い位置）にあり、係止部１６と掛り合うことにより接点ばね１５ａの反発力を受け止める。このため、接点ばね１５ａの反発力により部品１が挿入方向Ａと反対方向へ外れることが防止される。その結果、部品１を被取付部材２に固定して取り付けることが可能となる。
【００３５】
図７の（ａ）は、被取付部材２に対する部品１の位置を定める構成を説明するための、図５の（ｂ）に示す組立部品１３０の透視図である。図７の（ａ）に示すように、部品１が被取付部材２に取り付けられた状態において、部品１の第２突起部１２が、被取付部材２の第２凹部２２に嵌合することにより、被取付部材２に対する部品１の位置が定まる。
【００３６】
図７の（ｂ）は、部品１が被取付部材２に取り付けられる構成を説明するための、図５の（ｂ）に示す組立部品１３０の透視図である。被取付部材２の第１凹部２１には、切欠き面２１ａが形成されているため、部品１が被取付部材２に取り付けられた状態において、第１突起部１１の挟持面１１ａと、切欠き面２１ａが形成されている面との間には、切欠き分の隙間が生じることとなる。それゆえ、第１突起部１１が第１凹部２１に挿入される際に、第１突起部１１を挟持する器具は、第１凹部２１に干渉されることなく、第１突起部１１とともに第１凹部２１に挿入されることが可能となる。その結果、部品１が被取付部材２の所定位置（第２突起部１２が第２凹部２２に嵌合する位置）に取り付けられる状態となるまで、器具を用いて部品１を保持することが可能となり、器具を用いて手で保持することが困難な部品１を容易に取り付けることができる。
【００３７】
さらには、部品１が被取付部材２に取り付けられる際に、接点ばね１５ａの反発力が生じたとしても、部品１が被取付部材２の所定位置に取り付けられる状態となるまで、器具を用いて部品１を保持することが可能となるため、部品１を被取付部材２に取り付けることが容易となる。特に、図７の（ｂ）に示すように、第２突起部１２とともに部品１の一部（図の破線部）を被取付部材２に形成された窪みに挿入する場合、接点ばね１５ａの反発力が生じると、手作業により部品１を被取付部材２に取り付けることがより一層困難であるため、第１突起部１１を挟持する器具が挿入可能な切欠き面２１ａは有効である。
【００３８】
以上のように、ピンセット等の器具によって部品１に備えられた第１突起部１１を挟持し（不図示、第１ステップ）、ホルダ１０の側面１０ａを誘導部２３に接触させた状態で、第１突起部１１を第１凹部２１に挿入し（第２ステップ）、第２突起部１２を第２凹部２２に嵌合させ、第１突起部１１の挟持面１１ａを第１凹部２１の切欠き面２１ａに対向させて、部品１を被取付部材２に取り付ける（第３ステップ）。このため、ピンセット等の一般器具を用いて手で保持することが困難な部品１を被取付部材２に容易に取り付けることができる。
【００３９】
（部品１の変形例）
次に、部品１の変形例である部品３について説明する。図８の（ａ）は、部品３に備えられている近接センサ１３側から見た部品３の要部構成を示す斜視図である。部品３は、部品１が備えている係止部１６の代わりに係止部３６を備えている点で、部品１の構成と異なる。係止部３６は、図３の（ｃ）に示す係止部１６と同様に、被取付部材２と掛り合うことにより挿入方向Ａと反対方向に部品１が変位することを止めるものである。
図８の（ａ）に示す係止部３６は、接点ばね１５ａが備えられているホルダ１０の面と対向するホルダ１０の面に配置され、図８の（ａ）に示す側面１０ａの方向に延伸し、係止部３６の先端は、側面１０ａよりも突出している。また、断面がＬ字形状の係止部３６の屈曲部位は、図３の（ｃ）に示す係止部１６と同様に、断面がＬ字形状の係止部３６の先端が変位する程度の幅および厚みを有する。そして、係止部３６の先端は、部品３が挿入方向Ａに挿入され易いように、切欠きとなっている。
【００４０】
図８の（ｂ）は、部品３が被取付部材４に取り付けられた状態を示す斜視図である。被取付部材４には、部品３が備えている係止部３６と掛り合う窪み部（係止部）４４が形成されている。部品３が被取付部材４に取り付けられる際、係止部３６は被取付部材４の側面４５と当接し、部品３が被取付部材４に挿入されるにつれて、係止部３６の先端は変位する。そして、係止部３６は、被取付部材４に形成された窪み部４４に嵌合すると元の形に戻り、窪み部４４と掛り合うことにより部品３が挿入方向Ａと反対方向へ外れることを止めることが可能となる。
【００４１】
なお、部品３における係止部３６以外の構成については、部品１における係止部１６以外の構成と同様である。また、被取付部材４における窪み部４４以外の構成については、被取付部材２における係合部２４以外の構成と同様である。
【００４２】
（被取付部材２に形成された第１凹部２１の変形例）
図７の（ｂ）では、第１凹部２１を形成する切欠き面２１ａは、第１突起部１１の挟持面１１ａに対向する第１凹部２１の面の殆どが当該挟持面１１ａに対して傾斜して形成されていたが、これに限定されない。図９の（ａ）〜（ｂ）は、被取付部材２に形成された第１凹部２１の変形例を示す断面図である。なお図９の（ａ）〜（ｂ）では、第１凹部２１に第１突起部１１が挿入された状態（部品１が被取付部材２に取り付けられた状態）を示している。
【００４３】
図９の（ａ）に示すように、切欠き面２１ａは、挟持面１１ａに対向する第１凹部２１の面の少なくとも開口側の部位が当該挟持面１１ａに対して傾斜して形成されていてもよい。また図９の（ｂ）に示すように、切欠き面２１ａ’は、断面がＬ字形状であってもよい。すなわち、挟持面１１ａに対向する切欠き面２１ａ’の部位は、挟持面１１ａに略平行であり、挟持面１１ａに対向する切欠き面２１ａ’の部位と挟持面１１ａとの間には、挟持面１１ａを挟持しているピンセット等の器具が挿入される程度の隙間が生じている。
【００４４】
以上のように、切欠き面２１ａは、挿入方向Ａの奥側に対して開口側が拡がって形成されていればよい。すなわち、図７の（ｂ）および図９の（ａ）〜（ｂ）に示すように、挟持面１１ａに対向する第１凹部２１の面と挟持面１１ａとの間に生じる隙間は、第１凹部２１の奥側に対して開口側が拡がって形成されている。なお、挿入方向Ａの奥側とは、第１凹部２１の奥側であり、挿入方向Ａの開口側とは第１凹部の開口側である。
【００４５】
〔まとめ〕
本発明の態様１に係る電子機器部品セットは、電子機器（１００）に内蔵される部品（１、３）と、当該部品が取り付けられる被取付部材（２、４）とを含む電子機器部品セットであって、上記部品は、上記被取付部材に挿入される第１突起部（１１）を備え、上記被取付部材には、上記第１突起部が挿入されるための第１凹部（２１）が形成され、上記第１突起部を上記第１凹部に挿入する際の方向を挿入方向（Ａ）とし、当該挿入方向に略平行な上記第１突起部の面を挿入面（挟持面１１ａ）とする場合、上記部品が上記被取付部材に取り付けられた状態において、上記第１突起部の上記挿入面に対向する上記第１凹部の面は、上記挿入方向の奥側に対して開口側が拡がっている切欠き面（２１ａ）を有している。
【００４６】
上記の構成によれば、電子機器部品セットに含まれる部品は、被取付部材に挿入される第１突起部を備えている。このため、部品を実際に手で保持することが困難な場合（例えば、部品の大きさが手で保持することが困難な程度に小さい場合）、ユーザは、ピンセット等の一般的な器具を用いて第１突起部を挟持し、当該第１突起部を被取付部材に挿入するができる。
【００４７】
また、電子機器部品セットに含まれる上記被取付部材には、上記第１突起部が挿入されるための第１凹部が形成され、上記第１突起部を上記第１凹部に挿入する際の方向を挿入方向（Ａ）とし、当該挿入方向に略平行な上記第１突起部の面を挿入面とする場合、上記部品が上記被取付部材に取り付けられた状態において、上記第１突起部の上記挿入面に対向する上記第１凹部の面（以下、対向面）は、上記挿入方向の奥側に対して開口側が拡がっているを有している。このため、部品が被取付部材に取り付けられた状態において、挿入方向に略平行な第１突起部の挿入面と第１凹部の上記対向面との間には、少なくとも第１凹部の開口側に切欠き分の隙間が生じることとなる。それゆえ、部品が被取付部材に取り付けられる際に、挿入方向に略平行な第１突起部の面が器具等により挟持される場合、当該器具は、第１突起部とともに第１凹部に挿入されることが可能となる。その結果、部品が被取付部材の所定位置に取り付けられる状態となるまで、ピンセット等の一般的な器具を用いて部品を保持することが可能となり、手で保持することが困難な部品を、器具を用いて被取付部材に取り付けることが容易となる。
【００４８】
本発明の態様２に係る電子機器部品セットは、上記態様１において、上記部品は、上記第１突起部の先端に第２突起部（１２）を備え、上記被取付部材には、上記第２突起部と嵌合することにより、上記被取付部材に対する上記部品の位置を定める第２凹部（２２）が形成されていてもよい。
【００４９】
上記の構成によれば、上記部品は、上記第１突起部の先端に第２突起部を備え、上記被取付部材には、上記第２突起部と嵌合することにより、上記被取付部材に対する上記部品の位置を定める第２凹部が形成されている。すなわち、ピンセット等の一般的な器具により挟持される第１突起部と、被取付部材に形成された第２凹部に嵌合する第２突起部とは、互いに隣り合って部品に備えられている。このため、部品を被取付部材に取り付ける場合、第２凹部と嵌合する第２突起部と異なる第１突起部を挟持したとしても、第２突起部が第２凹部に嵌合するように第２凹部を狙い易くなる。それゆえ、第２突起部を第２凹部に嵌合させて、部品の被取付部材に対する位置を容易に定めることが可能となり、部品を被取付部材に取り付けることが容易となる。
【００５０】
特に、上記構成は、第２凹部が、視認することが困難な被取付部材の位置に形成されている場合に有効である。また、部品を被取付部材に取り付ける際において、被取付部材に形成された第２凹部が部品に隠されることによって、当該第２凹部を視認することが困難な場合にも有効である。すなわち、第２凹部の代わりに第１凹部を狙って第１突起部を第１凹部に挿入させたとしても、容易に第２突起部を第２凹部に嵌合させることが可能となる。
【００５１】
本発明の態様３に係る電子機器部品セットは、上記態様２において、上記第１突起部が有する、互いに対向する上記挿入方向に略平行な上記面の少なくとも一方を含む仮想面が、上記第２突起部と交差するように、当該第２突起部の大きさが規定されていてもよい。
【００５２】
上記の構成によれば、第１突起部が第２突起部に対して鉛直方向下側となるようにピンセット等の一般的な器具によって挟持される際、第１突起部を挟持する力が弱いがために、当該器具により挟持される第１突起部の部位が重力によってずれたとしても、第１突起部に隣り合って備えられた第２突起部は、第１突起部を挟持する当該器具と当接し、当該器具に引っ掛かることが可能となる。それゆえ、部品を被取付部材に取り付ける際に、部品を誤って落とすことを防止できる。
【００５３】
本発明の態様４に係る電子機器部品セットは、上記態様１から３のいずれか１態様において、上記部品は、当該部品の本体となる部品本体（ホルダ１０）を備え、上記被取付部材は、上記部品本体の一部（側面１０ａ）と接することにより上記第１突起部を上記第１凹部へ誘導する誘導部（２３）を備えていてもよい。
【００５４】
上記の構成によれば、部品が被取付部材に取り付けられる際、第１突起部が第１凹部に挿入される前に、上記部品本体の上記側面は、被取付部材に備えられている誘導部と接することが可能となる。このため、部品に備えられている第１突起部を、被取付部材に形成された第１凹部に誘導することが可能となり、被取付部材に対する部品の位置を、第１凹部を狙い易い位置に仮に決めることが可能となる。その結果、部品を被取付部材に取り付けることが容易となる。
【００５５】
本発明の態様５に係る電子機器部品セットは、上記態様１から４のいずれか１態様において、上記被取付部材は、上記第１凹部と対向する係合部（２４、４４）を備え、上記部品は、上記係合部と掛り合うことにより、上記第１突起部が上記第１凹部に挿入される挿入方向（Ａ）と反対方向に上記部品が変位することを止める係止部（１６、３６）を備えていてもよい。
【００５６】
上記の構成によれば、部品が被取付部材に取り付けられた状態において、被取付部材の係合部と部品の係止部とが掛り合うことにより、第１突起部が第１凹部に挿入される挿入方向と反対方向に部品が変位することを止める。このため、部品が被取付部材に取り付けられた状態において、部品が被取付部材から外れることを防止できる。
【００５７】
本発明の態様６に係る取付方法は、電子機器に内蔵される部品（１、３）を、当該電子機器の一部である被取付部材（２、４）に取り付ける取付方法であって、上記部品を上記被取付部材に取り付けるために用いられる器具によって上記部品に備えられた第１突起部（１１）を挟持する第１ステップと、上記第１ステップの後、上記被取付部材に形成された第１凹部（２１）に上記第１突起部を挿入する第２ステップと、上記第２ステップの後、上記器具によって挟持された上記第１突起部の面である挟持面（１１ａ）を、上記第２ステップにおける挿入方向（Ａ）の奥側に対して開口側が拡がっている切欠き面（２１ａ）を有する上記第１凹部の面に対向させて、上記部品を上記被取付部材に取り付ける第３ステップと、を含む。上記の構成によれば、上記態様１と同様の効果を奏する。
【００５８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５９】
１、３  部品（電子機器部品セット）
２、４  被取付部材（電子機器部品セット）
１０  ホルダ（部品本体）、１０ａ  側面
１１  第１突起部、１１ａ  挟持面（挿入面）、１１ｕ  上面
１２  第２突起部、１２ｄ  下面
１３  近接センサ、１４  近接センサ基板
１５  電気的接続部、１５ａ  接点ばね
１６、３６  係止部
２１  第１凹部、２１ａ  切欠き面、２２  第２凹部、２３  誘導部、２４  係合部
１００  電子機器、１１０  表筐体、１２０  裏筐体、１３０  組立部品
Ａ  挿入方向
【図１】
2017063154.tif 000003
【図２】
2017063154.tif 000004
【図３】
2017063154.tif 000005
【図４】
2017063154.tif 000006
【図５】
2017063154.tif 000007
【図６】
2017063154.tif 000008
【図７】
2017063154.tif 000009
【図８】
2017063154.tif 000010
【図９】
2017063154.tif 000011